(57)【要約】【課題】ワイヤハーネスを表す図面を容易に作成できる図面作成方法、ワイヤハーネス製造方法、及び図面作成装置を提供すること。【解決手段】図面作成方法は、ワイヤハーネスを表す図面を作成する。ワイヤハーネスは、束ねられた複数の電線により構成される。ワイヤハーネスは、電線分岐点と、枝線とを備える。図面作成方法は、（１）移動体における前記ワイヤハーネスの経路、（２）前記経路が分岐する経路分岐点同士の距離、（３）前記経路分岐点から前記ワイヤハーネスの接続先までの長さ、（４）前記ワイヤハーネスの接続先の識別情報、及び（５）それぞれの前記電線の接続先の識別情報を含む情報に基づき、ワイヤハーネスを表す図面を作成する。その図面は、前記電線分岐点同士の距離、及び前記枝線の長さを反映している。【選択図】図２
2020095376.tif 000002
【特許請求の範囲】
【請求項１】
束ねられた複数の電線により構成され、前記電線が分岐する電線分岐点と、前記電線の先端から前記電線分岐点まで延びる枝線とを備えるワイヤハーネスを表す図面を作成する図面作成方法であって、
以下の（１）〜（３）と、以下の（４）及び（５）の少なくとも一方と、を含む情報に基づき、前記ワイヤハーネスを表す図面であって、前記電線分岐点同士の距離、及び前記枝線の長さを反映した図面を作成する図面作成方法。
（１）移動体における前記ワイヤハーネスの経路
（２）前記経路が分岐する経路分岐点同士の距離
（３）前記経路分岐点から前記ワイヤハーネスの接続先までの長さ
（４）前記ワイヤハーネスの接続先の識別情報
（５）それぞれの前記電線の接続先の識別情報
【請求項２】
請求項１に記載の図面作成方法であって、
同一の前記電線分岐点から分岐する複数の前記枝線を、重ならないようにずらして前記図面に表す図面作成方法。
【請求項３】
請求項１又は２に記載の図面作成方法により前記図面を作成し、
前記図面の上に前記電線を布線して前記ワイヤハーネスを製造するワイヤハーネス製造方法。
【請求項４】
束ねられた複数の電線により構成され、前記電線が分岐する電線分岐点と、前記電線の先端から前記電線分岐点まで延びる枝線とを備えるワイヤハーネスを表す図面を作成する図面作成装置であって、
以下の（１）〜（３）と、以下の（４）及び（５）の少なくとも一方と、を含む情報を取得する情報取得ユニットと、
前記情報取得ユニットが取得した前記情報に基づき、前記ワイヤハーネスを表す図面であって、前記電線分岐点同士の距離、及び前記枝線の長さを反映した図面を作成する図面作成ユニットと、
を備える図面作成装置。
（１）移動体における前記ワイヤハーネスの経路
（２）前記経路が分岐する経路分岐点同士の距離
（３）前記経路分岐点から前記ワイヤハーネスの接続先までの長さ
（４）前記ワイヤハーネスの接続先の識別情報
（５）それぞれの前記電線の接続先の識別情報
【発明の詳細な説明】
【技術分野】
【０００１】
本開示は図面作成方法、ワイヤハーネス製造方法、及び図面作成装置に関する。
【背景技術】
【０００２】
ワイヤハーネスは移動体等に使用される。ワイヤハーネスを製造する工程において、ワイヤハーネスを表す図面が必要になる（特許文献１参照）。ワイヤハーネスを表す図面を作成する方法として、以下の方法がある。
【０００３】
まず、ワイヤハーネスにより接続する機器同士の距離を取得する。機器同士の距離を取得する方法として、移動体の実機において、機器同士の距離を測定する方法がある。あるいは、移動体の図面から、機器同士の距離を算出する方法がある。  
次に、機器同士の距離に基づき、手作業でワイヤハーネスのスケッチ図を作成する。次に、スケッチ図を参照しながら、ＣＡＤソフトウエア等の図面作成ツールを用い、手作業でワイヤハーネスを表す図面を作成する。
【先行技術文献】
【特許文献】
【０００４】
【特許文献１】特開２０１６−２０６８７０号公報
【発明の概要】
【発明が解決しようとする課題】
【０００５】
上記の方法でワイヤハーネスを表す図面を作成しようとすると時間と労力とを要する。本開示の一局面は、ワイヤハーネスを表す図面を容易に作成できる図面作成方法、ワイヤハーネス製造方法、及び図面作成装置を提供することを目的とする。
【課題を解決するための手段】
【０００６】
本開示の一局面は、束ねられた複数の電線により構成され、前記電線が分岐する電線分岐点と、前記電線の先端から前記電線分岐点まで延びる枝線とを備えるワイヤハーネスを表す図面を作成する図面作成方法であって、以下の（１）〜（３）と、以下の（４）及び（５）の少なくとも一方と、を含む情報に基づき、前記ワイヤハーネスを表す図面であって、前記電線分岐点同士の距離、及び前記枝線の長さを反映した図面を作成する図面作成方法である。
【０００７】
（１）移動体における前記ワイヤハーネスの経路
（２）前記経路が分岐する経路分岐点同士の距離
（３）前記経路分岐点から前記ワイヤハーネスの接続先までの長さ
（４）前記ワイヤハーネスの接続先の識別情報
（５）それぞれの前記電線の接続先の識別情報
本開示の別の局面は、束ねられた複数の電線により構成され、前記電線が分岐する電線分岐点と、前記電線の先端から前記電線分岐点まで延びる枝線とを備えるワイヤハーネスを表す図面を作成する図面作成装置であって、
以下の（１）〜（３）と、以下の（４）及び（５）の少なくとも一方と、を含む情報を取得する情報取得ユニットと、
前記情報取得ユニットが取得した前記情報に基づき、前記ワイヤハーネスを表す図面であって、前記電線分岐点同士の距離、及び前記枝線の長さを反映した図面を作成する図面作成ユニットと、
を備える図面作成装置である。
【０００８】
（１）移動体における前記ワイヤハーネスの経路
（２）前記経路が分岐する経路分岐点同士の距離
（３）前記経路分岐点から前記ワイヤハーネスの接続先までの長さ
（４）前記ワイヤハーネスの接続先の識別情報
（５）それぞれの前記電線の接続先の識別情報
【発明の効果】
【０００９】
本開示の一局面である図面作成方法によれば、ワイヤハーネスを表す図面を容易に作成することができる。本開示の別の局面である図面作成装置は、ワイヤハーネスを表す図面を容易に作成することができる。
【図面の簡単な説明】
【００１０】
【図１】ワイヤハーネス１０１の構成を表す説明図である。
【図２】車両図面１を表す説明図である。
【図３】配線表３を表す説明図である。
【図４】電線Ｗ１の構成を表す説明図である。
【図５】ハーネススケッチ５９を表す説明図である。
【図６】ハーネスボード図６１を表す説明図である。
【図７】線分情報を表す説明図である。
【図８】線分情報が特定する内容の例を表す説明図である。
【図９】図面作成装置２０１及びワイヤハーネス製造装置２１５の構成を表すブロック図である。
【図１０】制御用コンピュータ２０３の機能的構成を表すブロック図である
【発明を実施するための形態】
【００１１】
本開示の例示的な実施形態を、図面を参照しながら説明する。
１．図面作成方法
本開示の図面作成方法を説明する。図面作成方法により作成する図面は、ワイヤハーネスを表す図面である。
【００１２】
（１−１）ワイヤハーネス１０１の構成
図面により表すワイヤハーネス１０１の構成を説明する。ワイヤハーネス１０１は、束ねられた複数の電線により構成される。例えば、図１に示すように、ワイヤハーネス１０１は、電線分岐点１０３、１０５、１０７、１０９、１１１、１１３、１１５、１１７と、枝線１１９、１２１、１２３、１２５、１２７、１２９、１３１、１３３、１３５、１３７、１３９、１４１、１４３と、を備える。各電線分岐点は、電線が分岐する位置である。各枝線は、電線のうち、電線の先端１４５から、隣接する電線分岐点まで延びる部分である。例えば、枝線１１９は、電線のうち、先端１４５から、電線分岐点１０３まで延びる部分である。
【００１３】
（１−２）車両図面１と配線表３
本開示の図面作成方法では、まず、図２に示す車両図面１と、図３に示す配線表３とを用意する。車両図面１は、車両を上方から見た図である。車両は移動体に対応する。車両図面１は、車両におけるワイヤハーネスの経路５を表している。ワイヤハーネスの経路５は、経路分岐点７、９、１１、１３、１５、１７、１９、２１と、枝経路２３、２５、２７、２９、３１、３３、３５、３７、３９と、を備えている。
【００１４】
経路分岐点７、９、１１、１３、１５、１７、１９、２１は、経路５を通るワイヤハーネスの電線分岐点が存在する位置である。枝経路２３、２５、２７、２９、３１、３３、３５、３７、３９は、経路５のうち、経路分岐点から、ワイヤハーネスの接続先までの部分である。また、枝経路２３、２５、２７、２９、３１、３３、３５、３７、３９は、経路５のうち、ワイヤハーネスの枝線が通る部分である。
【００１５】
枝経路２３は、１つの接続先に向かう枝経路であってもよいし、複数の接続先に向かう枝経路の集合であってもよい。枝経路２５、２７、２９、３１、３３、３５、３７、３９も同様である。
【００１６】
車両図面１には、経路分岐点同士の距離（以下では経路分岐点間距離とする）が記載されている。経路分岐点間距離とは、隣接する２つの経路分岐点の、経路５上での距離である。経路分岐点間距離として、例えば、経路分岐点７と経路分岐点９との経路分岐点間距離がある。車両図面１には、全ての経路分岐点について、経路分岐点間距離が記載されている。
【００１７】
車両図面１に経路分岐点間距離を記載する方法は特に限定されない。例えば、車両図面１上における経路分岐点間距離を、実際の経路分岐点間距離に所定の係数を乗算した距離とすることができる。係数は１であってもよいし、１を超える値であってもよい。また、経路分岐点間距離を表す数値を車両図面１に記載してもよい。
【００１８】
車両図面１には、枝経路２３、２５、２７、２９、３１、３３、３５、３７、３９の長さが記載されている。枝経路２３が複数の接続先に向かう枝経路の集合である場合、車両図面１には、それぞれの枝経路の長さが記載されている。枝経路２５、２７、２９、３１、３３、３５、３７、３９についても同様である。
【００１９】
車両図面１に枝経路の長さを記載する方法は特に限定されない。例えば、車両図面１上における枝経路の長さを、実際の枝経路の長さに所定の係数を乗算した長さとすることができる。係数は１であってもよいし、１を超える値であってもよい。また、枝経路の長さを表す数値を車両図面１に記載してもよい。
【００２０】
車両図面１には、枝経路ごとに、ワイヤハーネスの接続先の識別情報が記載されている。接続先の識別情報として、例えば、ワイヤハーネスと接続する機器の名称、機器の名称とその機器における端子番号との組み合わせ等が挙げられる。図３に示す「Ａ」、「Ｂ」、「Ｃ」は、それぞれ、機器の名称を表す。図３に示す「Ｎ１」、「Ｎ２」は、それぞれ、機器における端子番号を表す。
【００２１】
枝経路２３が複数の接続先に向かう枝経路の集合である場合、車両図面１には、それぞれの枝経路ごとに、ワイヤハーネスの接続先の識別情報が記載されている。枝経路２５、２７、２９、３１、３３、３５、３７、３９についても同様である。
【００２２】
配線表３は、ワイヤハーネスを構成する全ての電線Ｗ１、Ｗ２、・・・のそれぞれについて、一方の接続先の識別情報と、他方の接続先の識別情報とを表している。図３において、例えば、機器Ａ、端子番号Ｎ１とは、名称がＡである機器の端子番号Ｎ１が電線Ｗ１の一方の接続先であることを意味する。また、図３において、機器Ｂ、端子番号Ｎ１とは、名称がＢである機器の端子番号Ｎ１が電線Ｗ１の他方の接続先であることを意味する。名称がＡである機器の端子番号Ｎ１、及び、名称がＢである機器の端子番号Ｎ１は、それぞれ、電線Ｗ１の接続先の識別情報に対応する。
【００２３】
（１−３）各電線の構成の特定
配線表３に記載されている接続先の識別情報と、車両図面１に記載されているワイヤハーネスの接続先の識別情報とを照合すると、ワイヤハーネスを構成する各電線が、経路５のうち、どの部分を通るのかを特定することができる。例えば、電線Ｗ１は、機器Ａと機器Ｂとに接続するから、図４に示すように、経路５のうち、枝経路２３、経路分岐点７、９、１１、１３、１５、１７、１９、２１、及び枝経路３９から成る部分を通ることを特定することができる。
【００２４】
その結果、電線Ｗ１を構成する各線分を特定することができる。線分とは、電線のうち、１つの枝経路に存在する部分、又は、隣接する２つの経路分岐点の間に存在する部分である。図４に示す電線Ｗ１は、線分４１、４３、４５、４７、４９、５１、５３、５５、５７により構成される。例えば、線分４１は、電線Ｗ１のうち、枝経路２３に存在する部分である。線分４３は、電線Ｗ１のうち、経路分岐点７と経路分岐点９との間に存在する部分である。
【００２５】
線分が１つの枝経路に存在する部分である場合、線分の長さは、その枝経路の長さに等しい。線分が隣接する２つの経路分岐点の間に存在する部分である場合、線分の長さは、対応する経路分岐点間距離に等しい。
【００２６】
車両図面１には、全ての経路分岐点間距離及び枝経路の長さが記載されているから、電線Ｗ１を構成する各線分の長さを特定することができる。よって、電線Ｗ１を構成する各線分と、各線分の長さとを特定することができる。同様にして、配線表３に記載されている全ての電線について、電線を構成する各線分と、各線分の長さとを特定することができる。車両図面１から経路分岐点間距離及び枝経路の長さを読み取る方法は、作業者が読み取る方法であってもよいし、コンピュータが画像認識又は文字認識により読み取る方法であってもよい。
【００２７】
（１−４）ハーネススケッチ５９の作成
前記（１−３）で特定した各電線を重ね合わせて描くことで、図５に示すハーネススケッチ５９が得られる。各電線を重ね合わせるとき、同一の経路分岐点を通る部分は重なるようにする。
【００２８】
ハーネススケッチ５９は、ワイヤハーネス１０１を表している。ハーネススケッチ５９において、枝線１１９、１２１、１２３、１２５、１２７は重ねて描かれている。ハーネススケッチ５９において、枝線１１９、１２１、１２３、１２５、１２７、１２９、１３１、１３３、１３５、１３７、１３９、１４１、１４３は、幹線１４７に対し直交している。幹線１４７とは、ワイヤハーネス１０１のうち、複数の電線が束ねられた部分である。
【００２９】
ハーネススケッチ５９は、ワイヤハーネス１０１における電線分岐点同士の距離、及び枝線の長さを反映している。すなわち、ハーネススケッチ５９における電線分岐点同士の距離、及び枝線の長さは、実際のワイヤハーネス１０１における電線分岐点同士の距離、及び枝線の長さと等しいか、一定の比率で拡大又は縮小した値である。ハーネススケッチ５９は、本開示の図面作成方法が作成する図面に対応する。
【００３０】
（１−５）ハーネスボード図６１の作成
ハーネススケッチ５９の一部を変更して、図６に示すハーネスボード図６１を得ることができる。ハーネスボード図６１では、枝線１１９、１２１、１２３、１２５、１２７は、重ならないようにずらして表されている。また、枝線１１９、１２１、１２３、１２５、１２７、１２９、１３１、１３３、１３５、１３７、１３９、１４１、１４３と幹線１４７とが成す角度は鋭角である。この角度が鋭角であることにより、ハーネスボード図６１の縦方向のサイズを抑制できる。縦方向とは、幹線１４７と直交する方向である。
【００３１】
ハーネスボード図６１は、紙等の媒体に描かれた図面であってもよいし、ディスプレイに表示された図面であってもよい。例えば、図６に示すように、上面に複数のディスプレイ６３を備えるハーネスボードにハーネスボード図６１を表示することができる。
【００３２】
ハーネススケッチ５９及びハーネスボード図６１は、図７に示す線分情報により特定することができる。線分情報は、ワイヤハーネス１０１を構成する全ての線分について、線分の長さと、線分の両端の座標とを記憶している。図７における「ＩＤ」は各線分のＩＤである。図７における「Length」は各線分の長さである。「Length」の値は、小数点以下の数値を切り上げることで、整数値とすることが好ましい。図７における「Ｘ１」、「Ｙ１」は各線分の一方の端の座標である。図７における「Ｘ２」、「Ｙ２」は各線分の他方の端の座標である。図８に、「ＩＤ」が「００８」である線分と、「ＩＤ」が「００９」である線分との両端の座標の例を示す。線分情報は、寸法公差、余長の情報等をさらに含んでいてもよい。
【００３３】
例えば、図７に示す線分情報を、ハーネスボードに出力することができる。ハーネスボードは、その線分情報に基づき、図６に示すように、ディスプレイ６３にハーネスボード図６１を表示することができる。
【００３４】
線分情報が表すワイヤハーネスの大きさが実寸大でない場合、ハーネスボードは、ハーネスボード図６１を拡大又は縮小し、ディスプレイ６３に表示されるハーネスボード図６１の大きさを実寸大とすることができる。ハーネスボード図６１は、本開示の図面作成方法が作成する図面に対応する。
【００３５】
２．ワイヤハーネス製造方法
図６に示すように、ハーネスボードのディスプレイ６３にハーネスボード図６１を表示する。ハーネスボード図６１の上に電線を布線し、テープやチューブ等の結束部材で電線を束ねることで、ワイヤハーネスを製造する。
【００３６】
３．図面作成方法及びワイヤハーネス製造方法が奏する効果
（１Ａ）本開示の図面作成方法によれば、ハーネススケッチ５９及びハーネスボード図６１を容易且つ正確に作成することができる。
【００３７】
（１Ｂ）本開示のワイヤハーネス製造方法は、本開示の図面作成方法により作成した図面を利用する。本開示の図面作成方法により作成した図面は、上記のとおり、正確である。そのため、本開示のワイヤハーネス製造方法によれば、ワイヤハーネスを正確に製造できる。
【００３８】
４．図面作成装置２０１及びワイヤハーネス製造装置２１５の構成
上述した図面作成方法は、例えば、図９、図１０に示す図面作成装置２０１により実施することができる。図９に示すように、図面作成装置２０１は、制御用コンピュータ２０３と、情報取得ユニット２０５と、を備える。
図１０に示すように、制御用コンピュータ２０３は、機能的に、構成特定ユニット２０７と、ハーネススケッチ作成ユニット２０９と、ハーネスボード図作成ユニット２１１と、出力ユニット２１３と、を備える。構成特定ユニット２０７、ハーネススケッチ作成ユニット２０９、及びハーネスボード図作成ユニット２１１は図面作成ユニットに対応する。図面作成装置２０１は、ネットワーク２１７を介してワイヤハーネス製造装置２１５と接続している。
【００３９】
情報取得ユニット２０５は、車両図面１及び配線表３の記載内容を読み取る。情報取得ユニット２０５は、例えば、スキャナ、カメラ等により構成される。構成特定ユニット２０７は、情報取得ユニット２０５が取得した車両図面１及び配線表３の記載内容に基づき、前記「（１−３）各電線の構成の特定」の項で述べた方法で、配線表３に記載されている全ての電線について、電線を構成する各線分と、各線分の長さとを特定する。
【００４０】
ハーネススケッチ作成ユニット２０９は、前記「（１−４）ハーネススケッチ５９の作成」の項で述べた方法で、ハーネススケッチ５９を作成する。ハーネスボード図作成ユニット２１１は、前記「（１−５）ハーネスボード図６１の作成」の項で述べた方法で、ハーネスボード図６１を作成する。図面作成装置２０１が作成するハーネススケッチ５９及びハーネスボード図６１は電子データである。
【００４１】
出力ユニット２１３は、ネットワーク２１７を介して、ハーネスボード図６１をワイヤハーネス製造装置２１５に出力する。
上述したワイヤハーネス製造方法は、例えば、ワイヤハーネス製造装置２１５を用いて実施することができる。ワイヤハーネス製造装置２１５は、ハーネスボードのディスプレイ６３と、制御用コンピュータ２１９と、データサーバ２２１と、電線切断機２２３と、読み取り部２２５と、印刷機２２７と、を備える。
【００４２】
ディスプレイ６３は、図面作成装置２０１が作成したハーネスボード図６１を、図６に示すように表示することができる。表示されたハーネスボード図６１の上に電線を布線し、テープやチューブ等の結束部材で電線を束ねることで、ワイヤハーネスを製造することができる。制御用コンピュータ２１９は、ワイヤハーネス製造装置２１５の各部を制御する。
【００４３】
データサーバ２２１は、作業履歴、検査結果等のワイヤハーネス１０１の製造に関する情報を記憶する。また、データサーバ２２１は、ハーネスボード図６１を記憶する。
【００４４】
電線切断機２２３は、ワイヤハーネス１０１の製造に用いられる電線を、予め定められた所望の長さに切断する。なお、切断される電線は、例えば、図示しない供給リールから繰り出されたものである。
【００４５】
読み取り部２２５は、ハーネスボード上に載置される電線に表示されるバーコード等の識別子を光学的に読み取る。印刷機２２７は、切断された電線やワイヤハーネス１０１に取り付けられるラベルを印刷する。ラベルは、電線の識別等に用いられる。
【００４６】
５．図面作成装置２０１及びワイヤハーネス製造装置２１５が奏する効果
（２Ａ）図面作成装置２０１は、ハーネススケッチ５９及びハーネスボード図６１を容易且つ正確に作成することができる。
【００４７】
（２Ｂ）ワイヤハーネス製造装置２１５は、図面作成装置２０１が作成した図面を利用する。図面作成装置２０１が作成した図面は、上記のとおり、正確である。そのため、ワイヤハーネス製造装置２１５は、ワイヤハーネスを正確に製造できる。
【００４８】
６．他の実施形態
以上、本開示の実施形態について説明したが、本開示は上述の実施形態に限定されることなく、種々変形して実施することができる。
【００４９】
（１）ワイヤハーネスは、車両以外の移動体に使用されるものであってもよい。車両以外の移動体として、例えば、船舶、航空機、鉄道車両等が挙げられる。
（２）ハーネスボード図６１には、他の情報がさらに記載されていてもよい。他の情報として、例えば、各電線の接続先の識別情報、電線の寸法値を表す情報等が挙げられる。
【００５０】
（３）図６に示すハーネスボード図６１に、各ハーネス、各電線に対応する機器名称、端子番号を表示してもよい。各ハーネス、各電線に対応する機器名称、端子番号は、配線表３から特定することができる。ハーネスボード図６１における機器名称の表示位置は、例えば、対応するハーネスが分岐する位置とすることができる。ハーネスボード図６１における端子番号の表示位置は、例えば、対応する電線の端部の位置とすることができる。
【００５１】
（４）配線表３は、各電線に接続するコネクタの情報を含んでいてもよい。ハーネスボード図６１に、各電線に対応するコネクタの情報を表示してもよい。ハーネスボード図６１におけるコネクタの情報の表示位置は、例えば、対応する電線の端部の位置とすることができる。
【００５２】
（５）上記各実施形態における１つの構成要素が有する機能を複数の構成要素に分担させたり、複数の構成要素が有する機能を１つの構成要素に発揮させたりしてもよい。また、上記各実施形態の構成の一部を省略してもよい。また、上記各実施形態の構成の少なくとも一部を、他の上記実施形態の構成に対して付加、置換等してもよい。
【００５３】
（６）上述した図面作成方法、ワイヤハーネス製造方法の他、種々の形態で本開示を実現することもできる。
【符号の説明】
【００５４】
１…車両図面、３…配線表、５…経路、７、９、１１、１３、１５、１７、１９、２１…経路分岐点、２３、２５、２７、２９、３１、３３、３５、３７、３９…枝経路、５９…ハーネススケッチ、６１…ハーネスボード図、６３…ディスプレイ、１０１…ワイヤハーネス、１０３、１０５、１０７、１０９、１１１、１１３、１１５、１１７…電線分岐点、１１９、１２１、１２３、１２５、１２７、１２９、１３１、１３３、１３５、１３７、１３９、１４１、１４３…枝線、１４５…先端、１４７…幹線、２０１…図面作成装置、２０３…制御用コンピュータ、２０５…情報取得ユニット、２０７…構成特定ユニット、２０９…ハーネススケッチ作成ユニット、２１１…ハーネスボード図作成ユニット、２１３…出力ユニット、２１５…ワイヤハーネス製造装置、２１７…ネットワーク、２１９…制御用コンピュータ、２２１…データサーバ、２２３…電線切断機、２２５…読み取り部、２２７…印刷機
【図１】
2020095376.tif 000003
【図２】
2020095376.tif 000004
【図３】
2020095376.tif 000005
【図４】
2020095376.tif 000006
【図５】
2020095376.tif 000007
【図６】
2020095376.tif 000008
【図７】
2020095376.tif 000009
【図８】
2020095376.tif 000010
【図９】
2020095376.tif 000011
【図１０】
2020095376.tif 000012